(57)【要約】【課題】常にスキューを監視することにより、スキューが発生した場合は直ちにスキューが解消できる光伝送装置を提供すること。【解決手段】マッハツェンダ変調器を用いた光伝送装置において、前記マッハツェンダ変調器に変調データを伝送する伝送線路の少なくとも一方に位相可変手段が接続され、この位相可変手段には位相同期ループが接続されてディザ信号が重畳された制御電圧が印加され、前記変調データを伝送する伝送線路相互間のスキューが一定に調整されることを特徴とするもの。【選択図】    図１
2010130323.tif 000002
【特許請求の範囲】
【請求項１】
マッハツェンダ変調器を用いた光伝送装置において、
前記マッハツェンダ変調器に変調データを伝送する伝送線路の少なくとも一方に位相可変手段が接続され、
この位相可変手段には位相同期ループが接続されてディザ信号が重畳された制御電圧が印加され、
前記変調データを伝送する伝送線路相互間のスキューが一定に調整されることを特徴とする光伝送装置。
【請求項２】
前記位相同期ループは、
ディザ発生源と、
このディザ発生源から出力されるディザ信号と位相調整され光電変換された信号とを掛け算するミキサと、
このミキサからの出力信号から任意の周波数帯域信号を検出する周波数検出器と、
この周波数検出器からの同期検波出力が入力されるとともにこの同期検波された値を基準として、同期検波された値に基づき制御信号を変化させる制御器と、
この制御器から出力される制御電圧と前記ディザ信号とが加算される加算器と
を有することを特徴とする請求項１記載の光伝送装置。
【請求項３】
前記マッハツェンダ変調器に変調データを伝送する伝送線路のそれぞれに位相可変手段が接続されたことを特徴とする請求項１または２記載の光伝送装置。
【請求項４】
前記位相同期ループの一部は少なくともＦＰＧＡまたはＡＳＩＣのいずれかで形成されていることを特徴とする請求項１〜３のいずれかに記載の光伝送装置。
【請求項５】
前記同期検波された値が「０」になるように、位相可変手段へ制御を行うことを特徴とする請求項１記載の光伝送装置。
【発明の詳細な説明】
【技術分野】
【０００１】
本発明は、光伝送装置に関し、詳しくは、マッハツェンダ（ＭＺ；Mach-Zehnder）変調器（以下、ＭＺ変調器という）を用いた光伝送装置において、ＭＺ変調器内の光路において分岐された光を位相変調するために印加されるデータ間のスキュー補正に関するものである。
【背景技術】
【０００２】
光通信システムの分野では、大容量化と長距離化に適した光変調方式として、ＤＰＳＫ（Differential Phase Shift Keying）やＤＱＰＳＫ（Differential Quadrature Phase Shift Keying）などの位相変調方式の実用化が検討されている。
【０００３】
このような光通信システムにおいて、連続光を２値化されたデータで位相変調する光変調器として、たとえば特許文献１に記載されているように、ＭＺ変調器が用いられている。ＭＺ変調器は、一旦分岐した光を再び合波するときの干渉条件によって光のオン、オフを行う光強度変調器であり、光の導波路上に設けた電極に電圧を加えることで合波するときの干渉条件を変えることができる。
【０００４】
図６は、ＭＺ変調器を用いた従来のＤＱＰＳＫ光伝送装置の一例を示すブロック図である。図６において、ＭＺ変調器１には、４系統に分岐された光導波路１ａが形成され、これら各光導波路１ａの上面には変調用のデータを印加するための電極１ｂがそれぞれ形成されている。
【０００５】
光導波路１ａの一端には光源２から連続光が入力されていて、この連続光は４系統に分岐されて各光導波路１ａを通過し、再び合波されて他端から光信号Soutとして出力される。
【０００６】
各光導波路１ａの上面に形成された各電極１ｂには、データ発生器３から出力される同じ周波数でデータ配列の異なる２系統のデータＤａ、Ｄｂが正負両極性の信号を出力するように構成された増幅器４ａ、４ｂを介してそれぞれ適切な振幅電圧に増幅されて入力される。なお、データＤｂは位相可変手段として接続されている移相器５を介して増幅器４ｂに入力される。
【０００７】
また、ＤＣ電源６は、ＭＺ変調器１の合波部の各光導波路１ａの上部に形成されている図示しない各電極に、合波されるときの干渉条件を適切に設定するためにそれぞれ所定の電圧を印加する。
【０００８】
これにより、光源２から出力される連続光は、ＭＺ変調器１を通過することでデータ発生器３から出力される２系統のデータＤａ、Ｄｂで位相変調された光信号Soutとして出力される。
【０００９】
ところで、このように構成される光伝送装置では、データ発生器３と増幅器４ａ、４ｂ間や、増幅器４ａ、４ｂとＭＺ変調器１間において伝送されるデータにスキューが発生すると、復調した際のアイパターンが閉じてしまいデータの「０」あるいは「１」の識別が困難になり、伝送品質が低下して伝送劣化の原因となる。そこで、図６の光伝送装置では、データＤｂの系統に移相器５を接続して、スキュー調整を行っている。
【００１０】
特許文献１には、位相シフトおよびＤＣドリフトなどを適切に制御できるＭＺ変調器を用いた光デバイス装置の構成が記載されている。
【００１１】
【特許文献１】特開２００７−４３６３８号公報
【００１２】
ところで、近年、小型で伝送レートが高速な通信装置が要求されている。一般に伝送レートが上がると、高速通信用部品であるデータ発生器を含めた電子デバイスは消費電力が大きくなる。
【００１３】
データ発生器３と増幅器４ａ、４ｂ間は通常同軸ケーブルなどで接続される。前記図６のようなＤＱＰＳＫ光伝送装置において、小型で且つ高速な通信装置の場合、光伝送装置を小型設計して実装密度を高めると、電子デバイスの配置によっては熱分布が大きく変わってしまい、２系統のデータＤａ、Ｄｂ間のスキューが微妙に変動してしまうことがある。
【００１４】
たとえば、１００Ｇｂｐｓの超高速信号の場合、１ビットの半周期は５ｐｓ、長さ５０ｍｍのケーブルでデバイス間を接続したとする。また、同軸ケーブルの芯線が純銅であって、データＤａとＤｂの同軸ケーブルの温度が５℃異なるとする。この場合のデータＤａとＤｂ間のスキューは以下の式で表され、同軸長の差分は約４μｍとなり、約０．０２ｐｓのスキューが発生したことになる。
【００１５】
Ｌskew＝α・Ｌo・Δｔ
α：線膨張係数(銅の場合：α＝16.5e-6)
Ｌo：同軸長
Δｔ：温度差
【００１６】
さらに、デバイスの経時劣化でデータＤａ、Ｄｂ間のスキューが変動することもある。
【００１７】
その上、データＤａ、Ｄｂの伝送に使用するケーブルの長さに着目すると、１ｍｍ程度の製造バラツキが発生するが、１００Ｇｂｐｓのような超高速伝送システムでは、伝送劣化などの影響を考慮すると、この製造バラツキが大きく影響することになる。
【００１８】
これら温度変化やデバイスの経時劣化などに起因するスキューが変化すると、前述のように伝送品質劣化の原因となることから、何らかの手段を用いて常にスキューの状態を監視し、スキューが発生した場合は直ちにスキューを調整することが望ましい。
【００１９】
そして、ケーブルの製造バラツキに起因するスキューは、光伝送装置の組立て調整段階で解消しておかなければならない。
【発明の開示】
【発明が解決しようとする課題】
【００２０】
しかし、図６に示す従来の構成では、これらスキューの調整にあたっては、光伝送装置にたとえばアイパターンを観測できる測定器を接続し、復調したアイパターンに基づいて移相器５を調整する、または復調信号をＢＥＲＴ(Bit Error Rate Test)を用いて、伝送品質を確認しながら移相器５を調整しなければならず、多大な作業工数がかかってしまうという問題がある。
【００２１】
また、実運用下にある光伝送装置では、温度変化やデバイスの経時劣化などに起因するスキューが発生しても、直ちにスキューを調整することは困難であった。
【００２２】
本発明は、これらの問題点を解決するものであり、常にスキューを監視することにより、スキューが発生した場合は直ちにスキューが解消できる光伝送装置を提供することを目的とする。
【課題を解決するための手段】
【００２３】
上記のような目的を達成するために、本発明の請求項１は、
マッハツェンダ変調器を用いた光伝送装置において、
前記マッハツェンダ変調器に変調データを伝送する伝送線路の少なくとも一方に位相可変手段が接続され、
この位相可変手段には位相同期ループが接続されてディザ信号が重畳された制御電圧が印加され、
前記変調データを伝送する伝送線路相互間のスキューが一定に調整されることを特徴とする。
【００２４】
請求項２は、請求項１記載の光伝送装置において、
前記位相同期ループは、
ディザ発生源と、
このディザ発生源から出力されるディザ信号と位相調整され光電変換された信号とを掛け算するミキサと、
このミキサからの出力信号から任意の周波数帯域信号を検出する周波数検出器と、
この周波数検出器からの同期検波出力が入力されるとともにこの同期検波された値を基準として、同期検波された値に基づき制御信号を変化させる制御器と、
この制御器から出力される制御電圧と前記ディザ信号とが加算される加算器と
を有することを特徴とする。
【００２５】
請求項３は、請求項１または２記載の光伝送装置において、
前記マッハツェンダ変調器に変調データを伝送する伝送線路のそれぞれに位相可変手段が接続されたことを特徴とする。
【００２６】
請求項４は、請求項１〜３いずれかに記載の光伝送装置において、
前記位相同期ループの一部は少なくともＦＰＧＡまたはＡＳＩＣのいずれかで形成されていることを特徴とする。
【００２７】
請求項５は、請求項１記載の光伝送装置において、
前記同期検波された値が「０」になるように、位相可変手段へ制御を行うことを特徴とする。
【発明の効果】
【００２８】
このように構成することにより、常にスキューを監視することができ、伝送線路相互間のスキューが発生した場合は直ちにスキューが解消できる。
【発明を実施するための最良の形態】
【００２９】
以下、図面を用いて、本発明の光伝送装置を説明する。図１は本発明の一実施例を示すブロック図であり、図６と共通する部分には同一の符号を付けている。図１と図６の相違点は、移相器５に、光分配器７と光検出器８と同期検波回路９とから構成された位相同期ループが接続されていることである。
【００３０】
ＭＺ変調器１の各光導波路１ａには、光源２から光が入射される。データ発生器３から出力される一方のデータＤａはデータ増幅器４ａに入力され、他方のデータＤｂは移相器５を介して位相が調整されてデータ増幅器４ｂに入力され、それぞれのデータは適切な振幅電圧に増幅されてＭＺ変調器１の各光導波路１ａの上面に設けられている各電極１ｂに印加される。
【００３１】
光導波路１ａの合波部の上面に設けられている図示しない電極には、ＤＣ電源６から所定の電圧が印加されて、光の強度が変調される。このＭＺ変調器１により光の強度が変調された光信号が光分配器７に入力されて、外部に出力される信号Soutと光検出器８に入力される信号に分配される。
【００３２】
図１では、移相器５として、電気長をたとえばモータで機械的に変化させて位相制御を行うものや、たとえばバラクタダイオードなどによって構成された遅延時間を可変するデバイスに電圧を印加して遅延時間を発生させて電気位相の遅延を利用するものなどを用いる。さらに、データ発生器の出力段にてエミッタフォロワ回路を使用している場合には、エミッタフォロワ回路の電源電圧を変化させることで遅延時間を可変することも可能である。このような手段により移相器５に、以下に説明するように、位相同期ループを構成する同期検波回路９から適切な制御電圧を印加することにより、伝送線路相互間のスキューを解消し伝送品質を保つことができる。
【００３３】
すなわち、データ発生器より出力された電気信号は、移相器５により、ディザ発生源９１から低周波ディザが重畳され、ＭＺ変調器に印加される。光源２からの連続光はＭＺ変調器により、光波変調される。光波変調信号は移相器５により微弱なディザが重畳され、このディザは光分配器７で分岐され、光検出器８で光電変換されて同期検波回路９に入力される。移相器５に微弱なディザをかけると、光変調出力に包絡線が現れる。この包絡線は、光検出器８により光から電気信号に変換される。
【００３４】
同期検波回路９は、低周波のディザ発生源９１と、ミキサ９２と、ローパスフィルタ（ＬＰＦ）９３と、制御器９４と、加算器９５とで構成されている。
【００３５】
同期検波回路９において、光検出器８で光電変換された信号と低周波ディザはミキサ９２により掛け算され、ミキサ９２の出力信号はＬＰＦ９３を介して同期検波出力として制御器９４に入力される。制御器９４は、得られた同期検波出力に基づき、加算器９５を介して移相器５に最適な制御電圧を印加する。なお、加算器９５には、ディザ発生源９１から低周波ディザも入力されている。ここで、適切な位相電圧とは、図２に示す同期検波出力とデータ間スキューの相関図において、同期検波出力が「０」となる点の電圧である。
【００３６】
つまり、制御器９４の制御信号は、ローパスフィルタ９３からの同期検波された値が「０」になるように移相器５を制御している。
【００３７】
また、移相器５は、同期検波回路９内の制御器９４から適切な制御電圧が印加されるため、伝送線路相互間のスキューを解消し光伝送装置の伝送品質を保つことができる。
【００３８】
なお、同期検波回路９において、図１には図示しないが、低周波ディザ発生源９１とミキサ９２の間には位相シフタが接続され、ミキサ出力が最大値で得られるように調整されている。さらに、光検出器８とミキサ９２の間にはたとえばトランスインピーダンスアンプ等の増幅手段が接続されていて、ミキサ９２へ適切な入力信号レベルに増幅している。
【００３９】
光分配器７で分配されて光検出器８に入力された光信号は光電変換される。この光電変換された電気信号は同期検波回路９に入力され、データ発生器３から出力されるデータＤａ、Ｄｂ間のスキューを一定にさせる。
【００４０】
なお、低周波のディザ発生源９１は、通常サイン波が用いられるが矩形波でもよい。また、光分配器７と光検出器８は、ＭＺ変調器１内に実装されていてもよい。
【００４１】
このように、移相器５にディザ信号が重畳された制御電圧を印加して同期検波を行う位相同期ループを設けて制御電圧を印加することにより、ＭＺ変調器１に印加される変調データ間にスキューが発生した場合に即時に対応できるため、スキュー調整時間を従来よりも圧倒的に短縮でき、伝送品質を常に一定に維持できる。 
【００４２】
ここで、位相同期ループの一部をたとえばＦＰＧＡ(Field Programmable Gate Array)やＡＳＩＣ(Application Specific Integrated Circuit)で形成することにより、光伝送装置の小型化が図れ、省電力化も図れる。
【００４３】
図３は、本発明の他の実施例を示すブロック図であり、図１と共通する部分には同一の符号を付けている。図３と図１の構成の異なる点は、データ発生器３から出力されるデータＤａ、Ｄｂがそれぞれの移相器５ａ、５ｂを介してそれぞれのデータ増幅器４ａ、４ｂに伝送される点と、一方の移相器５ｂには加算器９５を介して低周波ディザ信号が重畳された制御器９４の制御電圧が入力されるが、他方の移相器５ａには低周波ディザ信号が重畳されずに同期検波回路９内の制御器９４から制御電圧が直接入力される点である。
【００４４】
同期検波回路９は、光検出器８で光電変換された信号と低周波のディザ発生源９１から出力される信号がミキサ９２により掛け算され、ミキサ９２の出力信号は過渡応答を防ぐためにローパスフィルタ９３を介し、同期検波出力として制御器９４に入力される。制御器９４は得られたローパスフィルタ９３からの同期検波出力に基づいて、ローパスフィルタ９３から出力される最適な制御電圧と低周波のディザ発生源９１から出力される低周波ディザ信号とが加算器９５により加算され、移相器５ｂに最適な制御電圧を印加されて低周波ディザ信号が重畳される。また、一方の移相器５ａには、制御器９４から最適な制御電圧が直接印加される。
【００４５】
このような構成において、移相器５ａ、５ｂには同期検波回路９内の制御器９４から適切な制御電圧が印加されるため、伝送品質を保つことができる。
【００４６】
なお、移相器５ａ、５ｂは、制御器９４により、以下のような様々な動作方式が指示される。
ａ）それぞれの移相器５ａ、５ｂが互いに位相を進める方式
ｂ）データ発生器３から出力されたデータＤａ、Ｄｂのどちらか一方のデータ位相を進める方式
ｃ）データ発生器３から出力されたデータＤａ、Ｄｂのどちらの位相も遅らせる方式
ｄ）データ発生器３から出力されたデータＤａ、Ｄｂのどちらの位相も遅らせるとともにどちらか一方の位相を進める方式
ｅ）データ発生器３から出力されたデータＤａ、Ｄｂを互いに相反する方向に位相を進める方式
ｆ）データ発生器３から出力されたデータＤａ、Ｄｂを互いに相反する方向に位相を遅らせるとともにどちらか一方の位相を進める方式
【００４７】
たとえばデータ発生器３から出力されたデータＤａ、Ｄｂを互いに相反する方向に進める方式は、動作速度を向上させることができ、位相制御領域を拡大できる。
【００４８】
また、データ発生器３から出力されたデータを互いに相反する方向に進める方式以外の場合は、位相制御領域を拡大できる。
【００４９】
図４は、本発明の他の実施例を示すブロック図であり、図３と共通する部分には同一の符号を付けている。図４と図３の構成の異なる点は、同期検波回路９内に２つの同期検波回路９ａと９ｂが含まれている点と、どちらの移相器５ａ、５ｂにもディザが重畳される点と、光検出器８と同期検波回路９の間に同期検波回路９と同じ数のバンドパスフィルタ（ＢＰＦ）１０ａと１０ｂを設ける点である。基本動作は、図３と同じである。
【００５０】
光検出器８で光電変換された信号を、それぞれのバンドパスフィルタ１０ａ、１０ｂに入力することにより、それぞれの閉ループで設定された周波数範囲に合わせた周波数のみが通過することになり、それぞれのバンドパスフィルタ１０ａ、１０ｂに応じた同期検波回路９内のミキサ９２ａ、９２ｂに入力される。
【００５１】
この２つの同期検波回路９ａ、９ｂは、データ発生器３から出力されるデータＤａ、Ｄｂのスキューを一定にさせ、移相器５ａ、５ｂにそれぞれ最適な制御電圧を印加するとともに、加算器９５ａ、９５ｂを介してそれぞれの低周波ディザ信号を重畳する。
【００５２】
すなわち、光検出器８によって光電変換された信号と低周波のディザ発生源９１ａ、９１ｂから出力される信号が、それぞれのミキサ９２ａ、９２ｂにて掛け算され、それらの信号は過渡応答を防ぐためにローパスフィルタ９３ａ、９３ｂを介して同期検波出力として制御器９４に入力される。
【００５３】
制御器９４は、得られたローパスフィルタ９３ａ、９３ｂからのそれぞれの同期検波出力に基づいて、ローパスフィルタ９３ａ、９３ｂから出力される最適な制御電圧を加算器９５ａ、９５ｂの一方の入力端子に出力する。加算器９５ａ、９５ｂの他方の入力端子には低周波のディザ発生源９１ａ、９１ｂから出力される低周波ディザ信号が入力される。ローパスフィルタ９３ａ、９３ｂから出力される最適な制御電圧と低周波ディザ信号は加算器９５ａ、９５ｂによりそれぞれ加算され、移相器５ａ、５ｂにそれぞれ低周波ディザ信号が重畳された最適な制御電圧を印加する。
【００５４】
また、移相器５ａ、５ｂは、同期検波回路９内の制御器９４から適切な制御電圧が印加されるため、伝送品質を保つことができる。
【００５５】
どちらの移相器５ａ、５ｂにもディザを重畳するが、ディザ周波数は互いの整数倍とはならない周波数とする。また、ディザ信号を印加する際は、時分割で制御してもよい。
【００５６】
バンドパスフィルタ１０ａ、１０ｂは、それぞれの閉ループで設定された周波数範囲に合わせた周波数のみを通過させることができるが、互いに他方のディザ周波数の影響を受けないことが条件となる。
【００５７】
それぞれの移相器５ａ、５ｂに入力されるディザ周波数を同一にする場合は時分割で行ない、同期検波回路９ａ、９ｂのうち１つを使用すればよい。
【００５８】
また、図３と同様の効果が得られる。つまり、データ発生器３から出力されたデータＤａ、Ｄｂを互いに相反する方向に進める場合は動作速度を向上させることができ、位相制御領域を拡大できる。
【００５９】
また、データ発生器３から出力されたＤａ、Ｄｂを互いに相反する方向に進める方式以外の場合は、位相制御領域を拡大できる。
【００６０】
図５は、本発明の他の実施例である１６ＱＡＭ(Quadrature Amplitude Modulation;直交振幅変調)の場合の構成例を示すブロック図であり、図３と共通する部分には同一の符号を付けている。図５と図３の構成の異なる点は、同期検波回路９内に４つの同期検波回路９ａ〜９ｄが含まれている点と、データ発生器３から出力されるデータがＤａ、Ｄｂ，Ｄｃ，Ｄｄである点と、それぞれの移相器５ａ〜５ｄにそれぞれの低周波ディザ信号が重畳される点と、光検出器８と同期検波回路９の間に同期検波回路９と同じ数のバンドパスフィルタ１０ａ〜１０ｄを設けた点である。基本動作は、図３、４と同じである。
【００６１】
光検出器８によって光電変換された信号がそれぞれのバンドパスフィルタ１０ａ〜１０ｄを介すことによりそれぞれの閉ループで設定された周波数範囲に合わせた周波数のみが通過され、それぞれのバンドパスフィルタ１０ａ〜１０ｄに応じた同期検波回路９内のミキサ９２ａ〜９２ｄに入力される。
【００６２】
この４つの同期検波回路９ａ〜９ｄは、データ発生器３から出力されるデータＤａ，Ｄｂのスキューを一定にさせ、移相器５ａ〜５ｄにそれぞれ最適な制御電圧を印加するとともに、それぞれの低周波ディザ信号を重畳する。
【００６３】
すなわち、光検出器８によって光電変換された信号と低周波のディザ発生源９１ａ〜９１ｄから出力される信号が、ミキサ９２ａ〜９２ｄにてそれぞれ掛け算され、その信号は過渡応答を防ぐためにローパスフィルタ９３ａ〜９３ｄを介し、同期検波出力としてそれぞれ制御器９４に入力される。
【００６４】
制御器９４は得られたローパスフィルタ９３ａ〜９３ｄからの同期検波出力に基づいて、ローパスフィルタ９３ａ〜９３ｄから出力される最適な制御電圧を加算器９５ａ〜９５ｄの一方の入力端子に入力する。加算器９５ａ〜９５ｄの他方の入力端子には、低周波のディザ発生源９１ａ〜９１ｄから出力される低周波ディザ信号が入力される。ローパスフィルタ９３ａ〜９３ｄから出力される最適な制御電圧と低周波ディザ信号は加算器９５ａ〜９５ｄによりそれぞれ加算され、移相器５ａ〜５ｄにそれぞれ低周波ディザ信号が重畳された最適な制御電圧を印加する。
【００６５】
どの移相器５ａ〜５ｄにもディザを重畳するが、ディザ周波数はそれぞれのデータＤａに対してＤｂ、データＤｃに対してＤｄが互いの整数倍とはならない周波数とする。また、ディザ信号を印加する際は、時分割で制御してもよい。
【００６６】
バンドパスフィルタ１０ａ〜１０ｄは、それぞれの閉ループで設定された周波数範囲に合わせた周波数のみを通過することができる。また、バンドパスフィルタ１０ａ〜１０ｄは、他方のディザ周波数の影響を受けないことが条件となる。
【００６７】
それぞれの移相器５ａ〜５ｄに入力されるディザ周波数を同一にする場合は、時分割で行ない、同期検波回路９ａ〜９ｄのうち３つを使用する。
【００６８】
また、図５では、移相器５ａ〜５ｄのうちの１つを減らす場合、移相器５ａ〜５ｄから減らした箇所のデータを位相基準データとすることができる。
【００６９】
また、図３および図４と同様の効果が得られる。つまり、データ発生器３から出力された２つの信号Ｄａ、ＤｂおよびＤｃ、Ｄｄを互いに相反する方向に進める場合は動作速度を向上させることができ、位相制御領域を拡大できる。
【００７０】
また、データ発生器３から出力された２つの信号を互いに相反する方向に進める方式以外の場合は、位相制御領域を拡大できる。
【００７１】
以上説明したように、本発明によれば、常にスキューを監視することにより、スキューが発生した場合は直ちにスキューが解消できる光伝送装置が実現でき、スキュー調整時間を従来よりも圧倒的に短縮でき、伝送品質を常に一定に維持できる。
【図面の簡単な説明】
【００７２】
【図１】本発明の一実施例を示すブロック図である。
【図２】本発明の実施例におけるデータ間スキューと同期検波出力相関を示すグラフである。
【図３】本発明の他の実施例を示すブロック図である。
【図４】本発明の他の実施例を示すブロック図である。
【図５】本発明の他の実施例を示すブロック図である。
【図６】従来の構成例を示すブロック図である。
【符号の説明】
【００７３】
１  ＭＺ（マッハツェンダ）変調器
１ａ  光導波路
１ｂ  電極
２  光源
３  データ発生器
４ａ、４ｂ  データ増幅器
５、５ａ〜５ｄ  移相器
６  ＤＣ電源
７  光分配器
８  光検出器
９、９ａ〜９ｄ  同期検波回路
９１、９１ａ〜９１ｄ  低周波ディザ発生源
９２、９２ａ〜９２ｄ  ミキサ
９３、９３ａ〜９３ｄ  ローパスフィルタ
９４  制御器
９５、９５ａ〜９５ｄ  加算器
１０ａ〜１０ｄ  バンドパスフィルタ
【図１】
2010130323.tif 000003
【図２】
2010130323.tif 000004
【図３】
2010130323.tif 000005
【図４】
2010130323.tif 000006
【図５】
2010130323.tif 000007
【図６】
2010130323.tif 000008